(57)【要約】【課題】異なる幅寸法の２枚の扉から構成される折り戸の上部に対して、簡単な構成でありながら、耐久性にも優れる気密構造および防火構造を提供する。【解決手段】大扉１と小扉２からなる折り戸の上部気密構造である。戸枠上枠の戸先側部位に装着され、折り戸の閉鎖時に、大扉１の戸先側半部の上端部位に密接する第１気密部材６と、大扉１の戸尻側半部の上端部位に装着され、折り戸の閉鎖時に、戸枠上枠に密接する第２気密部材１７と、小扉２の上端部位の略全長に装着され、折り戸の閉鎖時に、戸枠上枠に密接する第３気密部材１８とからなる。第１気密部材１６の戸尻側端部と第２気密部材１７の戸先側端部、第２気密部材１７の戸尻側端部と第３気密部材１８の戸先側端部がそれぞれオーバーラップする。【選択図】図７
2006009291.tif 000002
【特許請求の範囲】
【請求項１】
大扉と小扉とからなる折り戸の気密構造であって、該大扉の戸尻側端部と該小扉の戸先側端部が回動可能に連結され、該小扉の戸尻側端部は戸枠の縦枠に回動可能に取り付けられ、該大扉は上端部位の幅方向中間部位において、開口幅方向に移動自在の吊持ローラのローラ軸に対して回転可能に取付けられており、該大扉は該ローラ軸を挟んで戸先側半部と戸尻側半部とに分けられ、
該気密構造は、
戸枠上枠の戸先側部位に装着され、折り戸の閉鎖時に、該大扉の戸先側半部の上端部位に密接する第１気密部材と、
大扉の戸尻側半部の上端部位に装着され、折り戸の閉鎖時に、戸枠上枠に密接する第２気密部材と、
小扉の上端部位の略全長に装着され、折り戸の閉鎖時に、戸枠上枠に密接する第３気密部材と、
から構成される折り戸の気密構造。
【請求項２】
請求項１において、折り戸の閉鎖時に、該第１気密部材の戸尻側端部と該第２気密部材の戸先側端部、該第２気密部材の戸尻側端部と該第３気密部材の戸先側端部がそれぞれオーバーラップすることを特徴とする折り戸の気密構造。
【請求項３】
請求項２において、該第１気密部材の戸尻側端部と該第２気密部材の戸先側端部は、一方の端部内に他方の端部を受け入れることでオーバーラップするように構成されており、折り戸が閉鎖する際には、戸先側にスライド移動するローラ軸を支点として大扉が回動することで、該第２気密部材の戸先側端部が、該第１気密部材の戸尻側端部に対してスライドしながらオーバーラップすることを特徴とする折り戸の気密構造。
【請求項４】
請求項２，３いずれかにおいて、該第２気密部材の戸尻側端部と該第３部材の戸先側端部は、一方の端部内に他方の端部を受け入れることでオーバーラップするように構成されており、折り戸が閉鎖する際には、戸先側にスライド移動するローラ軸を支点として大扉が回動し、大扉の回動に連動して戸尻側の固定回動支点を介して小扉が回動することで、一方の端部に他方の端部がオーバーラップすることを特徴とする折り戸の気密構造。
【発明の詳細な説明】
【技術分野】
【０００１】
本発明は、折り戸に係り、詳しくは、幅寸法が異なる２枚の扉を有する折り戸の気密構造に関するものである。
【背景技術】
【０００２】
折り戸は構造上開き戸に比べ、扉の軌跡面積が小さく、広い有効開口を得ることが可能である。また、引戸のような戸袋スペースを必要とせず、扉の開閉が軽いなどの長所がある。そのため、折り戸は、車椅子利用者などが使用するのに適している。
【０００３】
従来の折り戸は、通常、防火性能、機密性能を持たないため、室内向けのトイレ用ドアなどへの使用が一般的であった。したがって、マンション玄関ドア用等に折り戸を採用する場合には、折り戸に防火性能及び気密性能を持たせる必要がある。
【０００４】
ここで、折り戸には、同じ幅寸法の２枚の扉から構成されるものと、異なる幅寸法の２枚の扉から構成されるものとがある。前者の場合には、扉の戸先側が開口部から突出することがないので比較的容易に開口部枠体との間に気密構造・防火構造を適用することができるが、後者の場合には、扉の戸先側が開口部から突出して移動するので、気密構造・防火構造を適用することが困難である。
【０００５】
異なる幅寸法の２枚の扉から構成される折り戸の気密構造・防火構造が、特許文献１、特許文献２に開示されている。しかしながら、これらに開示された手段は、戸枠に開口幅方向に延出する気密部材を上下回動可能に設けるものであり、気密部材の構成が複雑になると共に、折り戸の開閉のたびに気密部材が回動することから耐久性が悪い。また、扉を開放する際に容易に気密材が回動する必要があることから、気密部材を扉体に強く押し付けることができず気密性に問題があった。
【特許文献１】特許第３４５２９０５号
【特許文献２】特開２００２−３２７５８４
【発明の開示】
【発明が解決しようとする課題】
【０００６】
本発明は、異なる幅寸法の２枚の扉から構成される折り戸の上部に対して、簡単な構成でありながら、耐久性にも優れる気密構造および防火構造を提供することを目的とするものである。
【課題を解決するための手段】
【０００７】
かかる課題を達成するために本発明が採用した技術手段は、大扉と小扉とからなる折り戸の気密構造であって、該大扉の戸尻側端部と該小扉の戸先側端部が回動可能に連結され、該小扉の戸尻側端部は戸枠の縦枠に回動可能に取り付けられ、該大扉は上端部位の幅方向中間部位において、開口幅方向に移動自在の吊持ローラのローラ軸に対して回転可能に取付けられており、該大扉は該ローラ軸を挟んで戸先側半部と戸尻側半部とに分けられ、該気密構造は、戸枠上枠の戸先側部位に装着され、折り戸の閉鎖時に、該大扉の上端部の戸先側半部に密接する第１気密部材と、大扉の上端部の戸尻側半部に装着され、折り戸の閉鎖時に、戸枠上枠に密接する第２気密部材と、小扉の上端部位の略全長に装着され、折り戸の閉鎖時に、戸枠上枠に密接する第３気密部材とから構成される。こうすることで、第１気密部材は、折り戸の閉鎖時に、大扉の上端部の戸先側端部からローラ軸取付部までの部位を封止し、第２気密部材は、大扉のローラ軸取付部から戸尻側端部までの部位を封止し、第３気密部材は、小扉の幅方向略全長（小扉の戸先側端部から戸尻側端部までの部位）を封止する。
【０００８】
好ましくは、折り戸の閉鎖時に、該第１気密部材の戸尻側端部と該第２気密部材の戸先側端部、該第２気密部材の戸尻側端部と該第３気密部材の戸先側端部がそれぞれオーバーラップする。
【０００９】
一つの好ましい態様では、該第１気密部材の戸尻側端部と該第２気密部材の戸先側端部は、一方の端部内に他方の端部を受け入れることでオーバーラップするように構成されており、折り戸が閉鎖する際には、戸先側にスライド移動するローラ軸を支点として大扉が回動することで、大扉の戸尻側半部に設けた第２気密部材の戸先側端部が、第１気密部材の戸尻側端部に対してスライドしながらオーバーラップする。
【００１０】
一つの好ましい態様では、該第２気密部材の戸尻側端部と該第３部材の戸先側端部は、一方の端部内に他方の端部を受け入れることでオーバーラップするように構成されており、折り戸が閉鎖する際には、戸先側にスライド移動するローラ軸を支点として大扉が回動し、大扉の回動に連動して戸尻側の固定回動支点を介して小扉が回動することで、一方の端部に他方の端部がオーバーラップする。
【発明の効果】
【００１１】
折り戸の上部の気密構造は、可動気密部材ではなく、枠体あるいは扉体に固定された気密部材を用いて達成されるので、折り戸の開閉時に気密部材が回動することがなく、気密部材の耐久性、気密性が良好である。
【００１２】
各気密部材の端部同士をオーバーラップさせるものでは、折り戸上部に相じゃくり形状を構成することができ、分割された気密部材でありながら、一本の通しの気密部材と同等の防火性能を有する。
【００１３】
気密部材の互いの端部同士の寸法を異ならしめて、一方が他方を受け入れ可能に構成したものでは、気密部材の構造を殊更複雑にすることなく、各気密部材の端部同士をオーバーラップさせることができる。
【発明を実施するための最良の形態】
【００１４】
図１は、本発明に係る折り戸を室外側から見た正面図、図２は、本発明に係る折り戸を室内側から見た正面図である。折り戸は、互いに回動可能に連結された大扉１と小扉２とを有し、大扉１と小扉２によって戸枠で形成される建物開口部を開閉するようになっている。戸枠は、上枠３０、下枠３１、左右の縦枠３２，３３からなる方形状の開口枠体から構成されており、図示のものでは、縦枠３２が戸先側縦枠、縦枠３３が戸尻側縦枠となっている。図３に示すように、上枠３０は、室内側面部３００と、大扉１および小扉２の上端面１０，２０に対向する下面部３０１を有している。
【００１５】
大扉１は、正面視方形状を有しており、その見込面は、上端部１０、下端部１１、左右の側端部１２，１３から構成されており、その見付面は、室内側面部１４と室外側面部１５とから構成されている。小扉２は、正面視方形状を有しており、その見込面は、上端部２０、下端２１、左右の側端２２，２３から構成されており、その見付面は、室内側面部２４と室外側面部２５とから構成されている。大扉１と小扉２は同じ高さ寸法を有するが、大扉１の幅寸法は小扉２の幅寸法よりも大きい寸法を有している。大扉１と小扉２からなる折り戸において、大扉１の戸先側端部１２が折り戸全体としての戸先側、小扉２の戸尻側端部２３が折り戸全体としての戸尻側となっている。大扉１の戸尻側端部１３と、小扉２の戸先側端部２２は互いに丁番４Ａを介して回動可能に連結されている。小扉２の戸尻側端部２３は丁番４を介して戸枠の縦枠３３に回動可能に取り付けてある。
【００１６】
室内側において、開口部上方には、電動開閉装置５が設けてあり、電動開閉装置５と大扉１の戸尻側の上端部位に設けた連結部６とは駆動アーム７を介して連結されている。大扉１は、幅方向中間部位において、吊持ローラ８によって吊持されており、吊持ローラ８はガイドレール９に沿って移動する。詳しくは、大扉１の幅方向中間部位には、大扉１の室内側面部の上端に位置して持ち出し状にローラ取付部８０が設けてあり、ローラ取付部８０には吊持ローラ８のローラ軸８１が装着されており、ローラ軸８１は吊持ローラ８に対して回転自在となっている。戸枠の上枠３０には開口幅方向にガイドレール９が延設されており、大扉１に設けた吊持ローラ８が開口部３の上枠３０に開口幅方向に延設されたガイドレール９内を転動することで、大扉１はガイドレール９に対してスライド自在に吊持され、かつ、大扉１は、ローラ軸８１を支点として回動自在となっている。大扉１は、ローラ軸８１（ローラ取付部８０）を挟んで、戸先側半部と戸尻側半部とに分けられる。
【００１７】
図３に示すように、ガイドレール９は、上枠３の室内側面部３００に持ち出し状に装着されており、上枠３に平行して、開口部幅方向に延出している。したがって、一般の折り戸に見られるように、折り戸の閉鎖時における扉の直上に位置してガイドレールが配設され、扉を吊持するローラ軸の移動経路と扉芯が一致するのではなく、大扉１が吊持されるローラ軸８１の移動経路と大扉１の大扉１の芯とが偏倚している。これは、折り戸の電気錠を構成する電気ストライクを上枠３に設けたためである。扉体側に電気ラッチを設け、枠側にストライクを形成することも考えられるが、可動である扉体側に電気ラッチを設けると配線が煩雑になるため、扉体側には通常のラッチを設け、枠側に電気ストライクを設けることが有利である。大扉１の戸尻側に位置して、上枠３０の下面３０１には、電気錠が設けてある。電気錠は、開口部上枠側に設けた電気ストライクＳと大扉１の上端部に設けたラッチＬから構成されており、通電時には、電気ストライクＳ内に突出するラッチＬのストライクへの係止が維持される。通電が遮断されると電気ストライクＳによるラッチの係止が解除され、ラッチＬが突出した状態であっても折り戸の移動が可能となるので、停電時等の非常時には、室外側からの手動による非常開放が可能なように構成されている。尚、上記の「大扉１が吊持されるローラ軸８１の移動経路と大扉１の大扉１の芯とが偏倚する構成」は、本発明に係る気密構造に必須の構成ではなく、大扉１の直上にガイドレールを配設したものでもよい。
【００１８】
このように構成された折り戸の開閉動作について図９、図１０に基づいて説明する。図９は、折り戸の閉鎖状態と開放状態とを示している。折り戸の閉鎖状態では、大扉１と小扉２が開口部幅方向に直線状に延出する姿勢となる。折り戸の閉鎖状態において、大扉１の戸先側端部１２と戸先側縦枠３２、大扉１の戸尻側縦部１３と小扉２の戸先側縦部２２、小扉２の戸尻側縦部２３と戸尻側縦枠３３、大扉１および小扉２の上端部と上枠３０、大扉１および小扉２の下端部と下枠３１とはそれぞれ近接しており、これらの部材の隙間は、後述する気密部材によって塞がれる。折り戸の開放状態では、大扉１と小扉２とが戸枠の戸尻側に位置して、開口部幅方向に直交して、互いに平行状に折り畳まれた姿勢となる。開放姿勢において、大扉１の戸先側半部は室外側に、大扉１の戸尻側半部は室内側に突出している。
【００１９】
図１０に示すように、折り戸を閉鎖状態から開放させる時には、電動開閉装置５によってアーム７を回動駆動させると、アーム７が連結部６を介して大扉１の戸尻側を室内側へ引き込み、大扉１は吊持ローラ８がガイドレール９内を転動することで戸尻側に移動しながら、ローラ軸８１を介して戸尻側半部が室内側へ、戸先側半部が室外側へと回動し、大扉１の回動に連動して小扉２も戸尻側端部を丁番４によって構成される固定回動支点を介して室内側へ回動し、大扉１と小扉２の連結部が室内側に向って屈曲し、さらにアーム７を介して大扉１と小扉２との屈曲角を狭めるように大扉１を小扉側（戸尻側）へ移動させることで、大扉１および小扉２が開口幅方向に対して直交する姿勢にまで回動しながら折り畳まれて、開放姿勢となって開口部を開放する。折り戸が閉鎖する際には、大扉１及び小扉２は逆の動きを辿って、折り戸の閉鎖姿勢となる。大扉１は幅方向に移動自在の回動支点を構成するローラ軸８１を介して回動し、小扉２は大扉２の回動に連動して、戸尻側の丁番４（固定回動支点）を介して回動する。折り戸が閉鎖状態から開放される時には、大扉１は回動支点が戸尻側に移動しながら回動し、折り戸が開放状態から閉鎖される時には、大扉１は回動支点が戸先側に逃げるように移動しながら回動する。したがって、開口幅方向に対して、大扉１は小扉２に比べて、扉体の傾動変化が大きい。
【００２０】
大扉１と小扉２から構成される折り戸には、折り戸の閉鎖時、開口部上端部の気密のための気密構造を有している。上端部の気密構造は、それぞれ、開口幅方向に延出する、第１気密部材１６、第２気密部材１７、第３気密部材１８の三つの気密部材を有する。折り戸の閉鎖時には、第１気密部材１６、第２気密部材１７、第３気密部材１８は開口部の同じ側（室内側あるいは室外側）に位置して、直線状に連設される。第１気密部材１６は、大扉１を吊持する吊持ローラ軸８１から大扉１の戸先側（大扉の戸先側半部）を封止する。第２気密部材１７は、大扉１を吊持する吊持ローラ軸８１から大扉１の戸尻側（大扉の戸尻側半部）を封止する。第３気密部材１８は、小扉２の幅方向全長を封止する。
【００２１】
第１気密部材１６を図３、図６に基づいて説明する。第１気密部材１６は、戸枠の上枠３０の戸先側部位に、大扉１の戸先側半部に対応するように設けてある。第１気密部材１６は、枠材１６０と、枠材１６０に取り付けられた気密ゴム１６１とから構成されており、折り戸の閉鎖時において、気密ゴム１６１が、大扉１の室内側面部１４の上端部に当接するように、枠材１６０を介して上枠３０の室内側面部３００に取り付けられている。枠材１６０は断面視略コ字状の長尺部材である。図６に示すように、枠材１６０は、上枠３０の室内側面部３００に対して間隔を存して平行状に下方に向って垂直方向に延出する縦片１６２と、縦片１６２の下端部より水平方向に一体的に延出する下側水平片１６３と、縦片１６２の上端部より水平片方向に一体的に延出する上側水平片１６４を有する。縦片１６２の下方部位は、大扉１の室内側面部１４の上端部位に対向している。縦片１６２の上方部位には気密ゴム１６１を取り付ける際のスペーサ１６５が設けてあり、スペーサ１６５の下面は上枠３０の下面部３０１と水平方向に略面一となっている。縦片１６２と下側水平片１６３とスペーサ１６５の下面で形成される空間に気密ゴム１６１が取り付けられている。気密ゴム１６１の頭部は下側水平片１６３よりも突出しており、折り戸の閉鎖時には、気密ゴム１６１の頭部の下半部が大扉１の室内側面部１４の上端部位に当接し、気密ゴム１６１の上半部が、上枠３０の下面部３０１と大扉１の戸先側半部の上面１０との間に形成される隙間を塞ぐようになっている。図示する実施例のものでは、第１気密部材１６の戸先側端部は、縦枠３２にまで延出しており、戸尻側端部は、吊持ローラ軸８１の軸心よりも僅かに戸先側寄りに位置している。
【００２２】
図４に基づいて第２気密部材１７を説明する。第２気密部材１７は、大扉１の上端部１０の戸尻側半部に設けてある。第２気密部材１７は、枠材１７０と枠材１７０に取り付けられた気密ゴム１７１とから構成されており、折り戸の閉鎖時において、気密ゴム１７１が、上枠３の室内側面部３００に当接するように、枠材１７０を介して大扉１の上端１０に取り付けられている。枠材１７０は、大扉１の上端面１０の戸尻側半部への取付片を構成する水平片１７２を有し、水平片１７２は大扉１の室内側面部１４よりも室内側に突出するように延出する。枠材１７０は、さらに、水平片１７２の延出端より上方に一体的に延出する縦片１７３と、縦片１７３の上端より水平片１７２に対向して室外側へ向って水平状に延出する第２水平片１７４とを有する。縦片１７３は、縦片１７３の上方部位が上枠３０の室内側面部３００の下端部位に対向するような寸法を有している。水平片１７２、縦片１７３と、第２水平片１７４で形成される空間に気密ゴム１７１が取付けられている。気密ゴム１７１の頭部は第２水平片１７４よりも突出しており、折り戸の閉鎖時には、気密ゴム１７１の頭部の上半部が上枠３の室内側面部３００の下端部位に当接し、気密ゴム１７１の下半部が、上枠３０の下面部３０１と大扉１の上面１０との間に形成される隙間を塞ぐようになっている。図示する実施例のものでは、第２気密部材１７の戸先側端部は、吊持ローラ軸８１の軸心よりも僅かに戸先側寄りに位置しており、戸尻側端部は、大扉１と小扉２の回動連結部の回動中心よりも戸尻側に位置している。
【００２３】
図５、図６に基づいて第３気密部材１８を説明する。第３気密部材１８は、小扉２の上端部２０の全長に設けてある。第３気密部材１８は、枠材１８０と枠材１８０に取り付けられた気密ゴム１８１とから構成されており、折り戸の閉鎖時において、気密ゴム１８１が、上枠３０の室内側面部３００に当接するように、枠材１８０を介して小扉２の上端部２０に取り付けられている。枠材１８０は断面視略コ字状の長尺部材である。枠材１８０は、小扉２の室内側面部２４に対して間隔を存して平行状に上方に向って垂直方向に延出する縦片１８２と、縦片１８２の上端部より水平方向に一体的に延出する上側水平片１８３と、縦片１８２の下端部より水平方向に一体的に延出する下側水平片１８４を有する。縦片１８２の上方部位は、上枠３の室内側面部３００の下端部位に対向している。縦片１８２の下方部位には気密ゴム１８１を取り付ける際の位置決めのためのスペーサ１８５が設けてあり、スペーサ１８５の上面は小扉２の上端部２０と水平方向に略面一（若干上方に位置している）となっている。縦片１８２と上側水平片１８３とスペーサ１８５の上面で形成される空間に気密ゴム１８１が取付けられている。気密ゴム１８１の頭部は上側水平片１８３よりも突出しており、折り戸の閉鎖時には、気密ゴム１８１の頭部の上半部が上枠３０の室内側面部３００の下端部位に当接し、気密ゴム１８１の下半部が、上枠３０の下面部３０１と小扉２の上端部２０との間に形成される隙間を塞ぐようになっている。図示する実施例のものでは、第３気密部材１８の戸先側端部は、大扉１と小扉２の回動連結部の回動中心よりも戸先側に位置しており、戸尻側端部は縦枠３３にまで達している。
【００２４】
図８から明らかなように、折り戸の閉鎖時において、第１気密部材１６の端部と第２気密部材１７との端部、第２気密部材１７と第３気密部材１８との端部は、それぞれ互いにオーバーラップしている。第１気密部材１６の枠材１６０の戸尻側端縁１６０Ａは、第２気密部材１７の戸先側端縁１７０Ａよりも戸尻側に位置している。第２気密部材１７の枠材１７０の戸尻側端縁１７０Ｂは、第３気密部材１８の戸先側端縁１８０Ａよりも戸尻側に位置している。
【００２５】
図示の実施例では、折り戸の閉鎖時には、第２気密部材１７の戸先側端部及び戸尻側端部がそれぞれ、第１気密部材１６の戸尻側端部、第３気密部材の戸先側端部に受け入れられるようになっている。図１１は、枠材１６０，１７０，１８０を正面から見た図である。図１１上図に示すように、枠材１６０のスペーサ１６５の戸尻側端部１６５Ａは、枠材１６０の戸尻側端部１６０Ａより内側に位置しており、図８に示す第１気密部材１６の気密ゴム１６１の戸尻側端縁１６１Ａとスペーサ１６５の戸尻側端部１６５Ａとが一致するようになっている。枠材１６０の戸尻側には、枠材１７の戸先側端部を受け入れる中空部１６６が形成されている。図１１下図に示すように、枠材１８０のスペーサ１８５の戸先側端部１８５Ａは、枠材１８０の戸先側端部１８０Ａより内側に位置しており、図８に示す第３気密部材１８の気密ゴム１８１の戸先側端縁１８１Ａとスペーサ１８５の戸先側端部１８５Ａとが一致するようになっている。枠材１８０の戸先側には、枠材１７の戸尻側端部を受け入れる中空部１８６が形成されている。第２気密部材１７（枠材１７０）の外形寸法は、第１気密部材１６の枠材１６０の中空部１６６の寸法、及び、第３気密部材１８の枠材１８０の中空部１８６の寸法よりも小さく形成されており、第２気密部材１７の長さ方向端部は、それぞれ、第１気密部材１６の枠材１６０の中空部１６６、第３気密部材１８の枠材１８０の中空部１８６に受け入れ可能の寸法に構成されている。
【００２６】
第１気密部材１６の戸尻側端部、第３気密部材１８の戸先側端部において、気密ゴム１６１，１８１はそれぞれ、枠材１６０、１８０の端部までは達していない。図８に示すように、第１気密部材１６の気密ゴム１６１の戸尻側端縁１６１Ａは、枠材１６０の戸尻側端縁１６０Ａよりも枠材の内側に位置しており、枠材１６０の戸尻側端部に受け入れられている第２気密部材１７の枠体１７０の戸先側端縁１７０Ａの位置と略一致している。第３気密部材１８の気密ゴム１８１の戸先側端縁１８１Ａは、枠材１８０の戸先側端縁１８０Ａよりも枠材の内側に位置しており、枠材１８０の戸先側端部に受け入れられている第２気密部材１７の枠体１７０の戸尻側端縁１７０Ｂの位置と略一致している。このように、第１気密部材１６の枠材１６０の戸尻側端部は第２気密部材１７の戸先側端部を、第３気密部材１８の枠材１８０の戸先側端部は第２気密部材１７の戸尻側端部を、それぞれ受け入れ可能に構成されている。したがって、第１気密部材と第２気密部材との隣接する端部同士、第２気密部材と第３気密部材との隣接する端部同士は、折り戸の閉鎖時には互いにオーバーラップするものでありながら、それぞれ、折り戸の開閉時に、端部同士が緩衝しないように構成されている。尚、図示の実施例では、折り戸の閉鎖時には、第２気密部材１７の戸先側端部及び戸尻側端部がそれぞれ、第１気密部材１６の戸尻側端部、第３気密部材の戸先側端部に受け入れられるものを示したが、これとは逆に第２気密部材の枠材の寸法を、第１気密部材及び第３気密部材に対して大きく設定することで、第２気密部材の端部がそれぞれ第１気密部材の端部、第３気密部材の端部を受け入れるように構成してもよい。
【００２７】
図８において、一点鎖線Ａは大扉１の回動支点を通る仮想線を示す。第１気密部材１６の枠材１６０の戸尻側端縁１６０Ａ、第２気密部材１７の戸先側端縁１７０Ａは、共に、大扉１の回動支点よりも戸先側に位置している。さらに、大扉１の回動支点は、扉本体よりも室内側に偏倚した位置にある。折り戸の開放時には、図８に示す閉鎖状態から、大扉１は戸尻方向に移動する回動支点を介して、大扉１の戸尻側半部が室内側に回動するので、大扉１に設けた第２気密部材１７の戸先側端縁１７０Ａがオーバーラップした状態から第１気密部材１６の戸尻側端縁１６０Ａに向って移動しつつ、第１気密部材１６の戸尻側端部から抜け出る。折り戸が閉鎖する際には、戸先側に移動する回動支点を介して大扉体１が回動することで、第２気密部材１７の戸先側端部が、第１気密部材１６の戸尻側端部に対してスライドしながらオーバーラップする。このように、閉鎖状態では端部同士がオーバーラップするものでありながら、折り戸開閉時に、端部同士が緩衝することがない。
【００２８】
さらに、図８において、一点鎖線Ｂは大扉１と小扉２との回動支点を通る仮想線を示す。第２気密部材１７の枠材１７０の戸尻側端縁１７０Ｂは、大扉１と小扉２との回動支点よりも戸尻側に位置しており、第３気密部材１８の戸先側端縁１８０Ａは、大扉１と小扉２との回動支点よりも戸先側に位置している。折り戸の開放時には、図８の閉鎖状態から、大扉１は戸尻方向に移動する回動支点を介して、大扉１の戸尻側半部が室内側に回動するので、大扉１に設けた第２気密部材１７の戸尻側端部と小扉２に設けた第３気密部材１８の戸先側端部とがオーバーラップした状態から互いに離隔するように拡開していく。大扉１の回動支点が戸尻側に移動するので、大扉１の戸尻側端部は小扉２の戸先端部から逃げるように回動する。折り戸が閉鎖する際には、戸先側に移動する回動支点を介して大扉体１が回動すると共に、小扉２が丁番４を介して回動し、第２気密部材１７の戸尻側端部と、第３気密部材１８の戸先側端部とが、互いに近接するように回動して、両者がオーバーラップする。大扉１の回動支点が戸先側に移動するので、大扉１の戸尻側端部は小扉２の戸先端部をリードしながら回動する。このように、閉鎖状態では端部同士がオーバーラップするものでありながら、折り戸開閉時に、端部同士が緩衝することがない。
【００２９】
折り戸の下端部位の気密構造について説明する。大扉１及び小扉２の下方部位には、幅方向に延出するロッド１９が内蔵されており、大扉１の戸尻側面部１３と小扉２の戸先側面部２２との対向面には、ロッド１９の先端部位が出没自在に設けてあり、常時（開口部開放時）は図示しないスプリングによって突出姿勢にあり、折り戸が閉鎖する時に、大扉１の戸尻側面部１３と小扉２の戸先側面部２２との対向面が密着すると、ロッド１９が押し込まれて没入し、没入したロッドに連繋した図示しない板ばねを介して、気密部材１９０が大扉１、小扉２の下端面１１，２１から下方に突出して、下枠３１に圧接される。
【００３０】
大扉１の戸先側面部１２と戸先側縦枠３２との気密構造について説明する。戸先側縦枠３２は、大扉１の戸先側面部１２に対向する見込面３２０と、見込面３２０の室内側端部に一体形成されたＬ形状片と、見込面３２０の室外側端部に形成された段部とを有する。Ｌ形状片は、見込面３２１ａと見付面３２１ｂとからなる。段部は、見込面３２２ａと見付面３２２ｂとからなる断面視Ｌ形状の部分によって形成される。大扉１の戸先側面部１２の室外側端部は室外側面部１５を側端部１２より延出させた突出片１５０が形成されており、折り戸の閉鎖時には、突出片１５０と段部内に延出し、段部を形成する見付面３２２ｂとのオーバーラップすることで、戸枠の戸先側縦枠３２と折り戸の戸先側（大扉１の戸先側面部１２）があいじゃくり構造を形成する。戸先側縦枠３２の室内側部位、Ｌ形状片の見込面３２１ａと見付面３２１ｂとで形成される凹部には、気密ゴム３２３が設けてあり、折り戸の閉鎖時には、気密ゴム３２３が、大扉１の室内側面部１４の端部に圧接して、大扉１の戸先側面部１２と戸先側縦枠３２との間の隙間を塞ぐようになっている。
【００３１】
小扉２の戸尻側面部２３と戸尻側縦枠３３との気密構造について説明する。戸尻側縦枠３３は、小扉２の戸尻側面部２３に対向する見込面３３０と、見込面３３０の室外側端部に形成された凹部を有する。凹部は、見込面３３１ａ、室内側見付面３３１ｂ、縦枠３３の室外側見付片３３２とから形成されている。凹部を形成する縦枠３３の室外側見付面３３２は小扉２の室外側面部２５の端部にオーバーラップ状に対向する延出片を形成し、戸枠の戸尻側縦枠３３と折り戸の戸尻側（小扉２の戸尻側面部２３）があいじゃくり構造を形成する。見込面３３１ａ、室内側見付面３３１ｂ、縦枠３３の室外側見付片３３２とから形成される凹部には、気密ゴム３３３が設けてあり、気密ゴム３３３の頭部は、見込面３３０よりも突出している。折り戸の閉鎖時には、気密ゴム３３３が、小扉２の戸尻側面部２３の室外側端部に圧接し、小扉２の戸尻側面部２３と戸尻側縦枠３３との隙間を塞ぐようになっている。
【００３２】
大扉１の戸尻側面部１３と小扉２の戸先側面部２２との間の気密構造について説明する。大扉１の戸尻側面部１３は平面部１３０と平面部１３０の室内側に形成された凹部とを有する。凹部は、見込面１３１ａ、室外側見付面１３１ｂ、大扉１の室内側面部１４を延出させた突出片１４０とから形成されている。小扉２の戸先側面部２２は平面部２２０と平面部２２０の室内側に形成された段部とを有し、段部は、見込面２２１ａと見付面２２１ｂとからなる断面視Ｌ形状の部分によって形成される。凹部を形成する突出片１４０は、小扉２の戸先側面部２２の段部の見付面２２１ｂにオーバーラップ状に対向しており、大扉１の戸尻側面部１３と小扉２の戸先側面部２２とがあいじゃくり構造を形成する。大扉１と小扉２は、平面部１３０，２２０の室外側部位の丁番４Ａを介して互いに回動可能に連結されており、大扉１がガイドレール９に沿って回動しながら移動すると、折り戸は、大扉１と小扉２の連結部が室内側にく字状に突出するように回動し始める。大扉１の戸尻側面部１３の平面図１３０と小扉２の戸先側面部２２の平面部２２０は同じ見込寸法を有しており、折り戸の閉鎖時には、平面部１３０，２２０同士が近接対向すると共に、凹部と段部同士が対向して連通する空間を形成する。見込面１３１ａ、室外側見付面１３１ｂ、突出片１４０とから形成される凹部には気密ゴム１３２が充填されており、気密ゴム１３２の頭部は平面部１３０よりも突出しており、折り戸の閉鎖時には、気密ゴム１３２の頭部が、小扉２の戸先側面部２２の段部内に延出し、段部の見付面２２１ｂに圧接し、大扉１の戸尻側面部１３と小扉２の戸先側面部２２との隙間を塞ぐ。小扉２の段部には小扉２の室内側見付面２４と段部の見込面２２１ａとで形成される室内側の角部から、段部の見込面２２１ｂに向って延出する傾斜片２２２が形成されている。突出片１４０の先端と小扉２の面部２４の端部との間は、指を挟むことがないような大きい寸法に設定されている。段部に傾斜片２２２を設けることで、指を挟まない空間を保ちつつ、ちり寸法を小さくして意匠性を向上させている。
【００３３】
このように構成された折り戸の気密構造において、折り戸の閉鎖状態では、上枠３に設けた第１気密部材１６の戸尻側端部と大扉１に設けた第２気密部材１７の戸先側端部、大扉１に設けた第２気密部材の戸尻側端部と小扉２に設けた第３部材１８の戸先側端部がそれぞれオーバーラップすることで気密構造を提供するので、折り戸の開閉時に気密部材が回動することがなく、良好な気密性能が確保できると共に、気密部材の耐久性もよい。各気密部材１６，１７，１８の端部同士がオーバーラップしているので、折り戸上部に相じゃくり形状を構成することができ、分割された気密部材でありながら、一本の通しの気密部材と同等の防火性能を有する。しかも、気密部材１６，１７，１８の互いの端部同士の寸法を異ならしめて、一方が他方を受け入れ可能に構成したので、気密部材の構造を殊更複雑にすることなく、各気密部材の端部同士をオーバーラップさせることができる。
【００３４】
折り戸の気密構造について、折り戸の開放時には、大扉１の戸尻側及び小扉２が室内側に回動し、大扉１の戸先側が室外側に回動する実施例について説明した（図１０参照）。この場合、第１気密部材１６は上枠３０の室内側、第２気密部材１７は大扉１の戸尻側半部の室内側、第３気密部材１８は小扉２の室内側に設けてあるが、第１気密部材１６、第２気密部材１７、第３気密部材１８が設けられる部位は、大扉１の戸尻側及び小扉２が折り畳まれて回動する側に取り付けられるものである。したがって、大扉１の戸尻側及び小扉２が室外側に回動し、大扉１の戸先側が室内側に回動するような場合には、第１気密部材１６は上枠３０の室外側、第２気密部材１７は大扉１の戸尻側半部の室外側、第３気密部材１８は小扉２の室外側に設けられる。
【産業上の利用可能性】
【００３５】
本発明は折り戸に適用され、玄関ドア等に好適に用いられる。
【図面の簡単な説明】
【００３６】
【図１】折り戸の室外側正面図である。
【図２】折り戸の室内側正面図である。
【図３】大扉の戸先側半部の縦断面図であり、図７におけるＡ−Ａ線に沿った縦断面図である。
【図４】大扉の戸尻側半部の縦断面図であり、図７におけるＢ−Ｂ線に沿った縦断面図である。
【図５】小扉の縦断面図であり、図７におけるＣ−Ｃ線に沿った縦断面図である。
【図６】折り戸の上端部の縦断面図を示し、左図は図３に対応し、中央図は図４に対応し、右図は図５に対応する。図６では気密ゴムは省略されている。
【図７】折り戸の横断面図である。
【図８】折り戸の回動部分を示す図７の部分拡大図である。
【図９】折り戸の全閉姿勢および全開姿勢を示す平面図である。図において、Ａ側が室内側、Ｂ側が室外側である。
【図１０】折り戸を構成する大扉及び小扉の回動軌跡を示す平面図である。図において、Ａ側が室内側、Ｂ側が室外側である。
【図１１】上図は、第１気密部材の枠材、中央図は、第２気密部材の枠材、下図は、第３気密部材の枠材を示している。
【符号の説明】
【００３７】
１  大扉
２  小扉
１６  第１気密部材
１６０  枠材
１６１  気密ゴム
１７  第２気密部材
１７０  枠材
１７１  気密ゴム
１８  第３気密部材
１８０  枠材
１８１  気密ゴム
【図１】
2006009291.tif 000003
【図２】
2006009291.tif 000004
【図３】
2006009291.tif 000005
【図４】
2006009291.tif 000006
【図５】
2006009291.tif 000007
【図６】
2006009291.tif 000008
【図７】
2006009291.tif 000009
【図８】
2006009291.tif 000010
【図９】
2006009291.tif 000011
【図１０】
2006009291.tif 000012
【図１１】
2006009291.tif 000013